(57)【特許請求の範囲】
【請求項１】
Ｘ線を照射するＸ線照射部と、
第１のＸ線検出部を備え、起立した状態の被検者を撮影する立位撮影台と、
第２のＸ線検出部を備え、仰臥した状態の被検者を撮影する臥位撮影台と、
前記立位撮影台を使用する立位撮影と、前記臥位撮影台を使用する臥位撮影のいずれの術式により撮影を行うかを選択する選択手段と、
前記立位撮影台に被検者がセッティングされたことを検出する第１センサと、
前記臥位撮影台に被検者がセッティングされたことを検出する第２センサと、
前記第１、第２センサによる検出結果に基づいて、前記立位撮影台および前記臥位撮影台のうち被検者がセッティングされた撮影台と、前記選択手段により選択された術式とが適合していないときに、警告を行う警告手段と、
を備えたことを特徴とするＸ線撮影装置。
【請求項２】
請求項１に記載のＸ線撮影装置において、
前記立位撮影台および前記臥位撮影台のうち被検者がセッティングされた撮影台と、前記選択手段により選択された術式とが適合していないときに、前記選択手段により選択された術式を切り換えるＸ線撮影装置。
【請求項３】
請求項２に記載のＸ線撮影装置において、
前記立位撮影台および前記臥位撮影台のうち被検者がセッティングされた撮影台と、前記選択手段により選択された術式とが適合していないときに、オペレータによる切替信号の入力を待って、前記選択手段により選択された術式を切り換えるＸ線撮影装置。
【請求項４】
請求項１乃至請求項３のいずれかに記載のＸ線撮影装置において、
前記警告手段は、警告表示を行う警告表示部または警告音を発生する警告音発生部であるＸ線撮影装置。
【発明の詳細な説明】
【技術分野】
【０００１】
この発明は、Ｘ線照射部と、立位撮影台と、臥位撮影台とを備えたＸ線撮影装置に関する。
【背景技術】
【０００２】
このようなＸ線撮影装置は、起立した状態の被検者を撮影する立位撮影台と、仰臥した状態の被検者を撮影する臥位撮影台とを備えるとともに、これらの撮影台に共通して使用されるＸ線照射部と、入力部や表示部と、制御部とを備えている。そして、Ｘ線照射部は、立位撮影台および臥位撮影台のうち、予め選択された術式に適合した撮影台と対向する位置に移動する構成となっている。
【０００３】
ところで、被検者が起立した状態で撮影を実行する立位撮影と、被検者が仰臥した状態で撮影を実行する臥位撮影とは、被検者における撮影部位や被検者の状態等に応じて使い分けられる。これらの立位撮影および臥位撮影の術式は、予めＸ線撮影装置における操作画面においてオペレータが必要な入力を行うことにより選択される。また、病院内のネットワークを介して通知される術式が、Ｘ線撮影装置に入力されることにより選択される場合もある。
【０００４】
このようなＸ線撮影装置において、患者である被検者の様子や、その他の撮影条件に基づいて、検査室においてオペレータが術式を立位撮影と臥位撮影の間で切り換える場合がある。この場合においては、オペレータが、Ｘ線撮影装置における操作部を操作して、術式の切替の設定を行う。
【０００５】
また、特許文献１においては、立位撮影台と臥位撮影台とに立位センサと臥位センサとを付設し、これらのセンサの情報に基づいて、Ｘ線撮影時の撮影条件を設定するようにしたＸ線撮影装置が開示されている。
【先行技術文献】
【特許文献】
【０００６】
【特許文献１】特開２０００−３５０７１８号公報
【発明の概要】
【発明が解決しようとする課題】
【０００７】
オペレータが検査室において術式を立位撮影と臥位撮影の間で切り換える場合に、被検者のセッティングを立位撮影台と臥位撮影台との間で切り換えたとしても、Ｘ線撮影装置における操作部を操作して術式の切替の設定を行うことを忘れたまま撮影を実行してしまう場合がある。このような場合には、実際にはＸ線撮影が行われないばかりではなく、被検者が不要なＸ線を被曝する可能性もある。
【０００８】
また、このとき、Ｘ線検出部としてフラットパネルディテクタ等の検出器を使用した場合においては、Ｘ線撮影の直後に適切なＸ線撮影が行われていないことがわかるが、フィルム撮影やＣＲ撮影を行うＸ線検出部を使用した場合においては、撮影画像が確認できるまでは適正なＸ線撮影が行われていないことが判明しないことから、再撮影まで長い時間が経過するという問題も生ずる。
【０００９】
なお、特許文献１に記載されたＸ線撮影装置は、センサの情報に基づいてＸ線撮影時の撮影条件を設定するものに過ぎず、予め設定された術式と検査室において変更された術式の確認を実行するものではない。また、特許文献１に記載されたＸ線撮影装置においては、予め決定された術式とは異なる撮影台に被検者が移動した場合には、異なる術式に応じた撮影条件が設定されてしまうことになる。
【００１０】
この発明は上記課題を解決するためになされたものであり、術式が変更された場合においても、被検者が変更後の術式に適合した撮影台にセッティングされていないことを検出し、誤ったＸ線撮影が行われることを確実に防止することが可能なＸ線撮影装置を提供することを目的とする。
【課題を解決するための手段】
【００１１】
請求項１に記載の発明は、Ｘ線を照射するＸ線照射部と、第１のＸ線検出部を備え、起立した状態の被検者を撮影する立位撮影台と、第２のＸ線検出部を備え、仰臥した状態の被検者を撮影する臥位撮影台と、前記立位撮影台を使用する立位撮影と、前記臥位撮影台を使用する臥位撮影のいずれの術式により撮影を行うかを選択する選択手段と、前記立位撮影台に被検者がセッティングされたことを検出する第１センサと、前記臥位撮影台に被検者がセッティングされたことを検出する第２センサと、前記第１、第２センサによる検出結果に基づいて、前記立位撮影台および前記臥位撮影台のうち被検者がセッティングされた撮影台と、前記選択手段により選択された術式とが適合していないときに、警告を行う警告手段とを備えたことを特徴とする。
【００１２】
請求項２に記載の発明は、請求項１に記載の発明において、前記立位撮影台および前記臥位撮影台のうち被検者がセッティングされた撮影台と、前記選択手段により選択された術式とが適合していないときに、前記選択手段により選択された術式を切り換える。
【００１３】
請求項３に記載の発明は、請求項２に記載の発明において、前記立位撮影台および前記臥位撮影台のうち被検者がセッティングされた撮影台と、前記選択手段により選択された術式とが適合していないときに、オペレータによる切替信号の入力を待って、前記選択手段により選択された術式を切り換える。
【００１４】
請求項４に記載の発明は、請求項１乃至請求項３のいずれかに記載の発明において、前記警告手段は、警告表示を行う警告表示部または警告音を発生する警告音発生部である。
【発明の効果】
【００１５】
請求項１に記載の発明によれば、立位撮影と臥位撮影との間で術式が変更された場合においても、被検者が変更後の術式に適合した撮影台にセッティングされていないことを予め検出することにより、誤ったＸ線撮影が行われることを確実に防止することが可能となる。
【００１６】
請求項２に記載の発明によれば、選択された術式と被検者がセッティングされた撮影台とが適合していないときに、選択手段により選択された術式を切り換えることが可能となる。
【００１７】
請求項３に記載の発明によれば、オペレータによる切替信号の入力を待って選択手段により選択された術式を切り換えることから、術式を確認した上でＸ線撮影を実行することが可能となる。
【００１８】
請求項４に記載の発明によれば、警告表示を行う警告表示部または警告音を発生する警告音発生部により行われる警告表示により、選択された術式と被検者がセッティングされた撮影台とが適合していないことを、オペレータに認識させることが可能となる。
【図面の簡単な説明】
【００１９】
【図１】この発明に係るＸ線撮影装置を使用してＸ線撮影を行う様子を示す説明図である。
【図２】Ｘ線照射部３を懸垂保持手段１０および水平移動手段２０とともに示す斜視図である。
【図３】Ｘ線撮影装置の主要な電気的構成を示すブロック図である。
【図４】被検者Ｍが術式に適合した撮影台にセッティングされているか否かの判定を実行するときの判断基準を示す表である。
【発明を実施するための形態】
【００２０】
以下、この発明の実施の形態を図面に基づいて説明する。図１は、この発明に係るＸ線撮影装置を使用してＸ線撮影を行う様子を示す説明図である。
【００２１】
このＸ線撮影装置は、被検者Ｍを起立姿勢で撮影するための立位撮影台１と、被検者Ｍを仰臥した状態で撮影するための臥位撮影台２と、Ｘ線管を備えるＸ線照射部３とを有する。Ｘ線照射部３は、懸垂保持機構１０により天井面９から懸垂保持されている。この懸垂保持機構１０は、水平移動機構２０の作用により、天井面９に沿って移動可能な構成となっている。このため、Ｘ線照射部３は、懸垂保持機構１０および水平移動機構２０により、図１に実線で示す臥位撮影位置Ｂと、鎖線で示す立位撮影位置Ａおよび退避位置Ｃとに移動可能に構成されている。
【００２２】
立位撮影台１には第１のＸ線検出部４１が配設されており、臥位撮影台２には第２のＸ線検出部４２が配設されている。これらのＸ線検出部４１、４２は、フィルムカセットやＣＲカセットを備える。なお、フィルムカセットやＣＲカセットにかえて、フラットパネルディテクタを使用してもよい。
【００２３】
立位撮影台１の板部材５には、その前面に被検者Ｍが起立することにより被検者Ｍが立位撮影台１にセッティングされたことを検出するための反射型のフォトセンサから成る一対の第１センサ９１が配設されている。また、臥位撮影台２の板部材５には、その上面に被検者Ｍが仰臥することにより被検者Ｍが臥位撮影台２にセッティングされたことを検出するための圧力センサから成る一対の第２センサ９２が配設されている。なお、これらの第１、第２センサ９１、９２として、フォトセンサや圧力センサを使用する代わりに、超音波センサや容量センサ等のその他のセンサを使用してもよい。また、この実施形態においては、被検者Ｍを確実に検出するために一対の第１、第２センサ９１、９２を使用しているが、各々、単一の第１、第２センサ９１、９２を使用してもよい。
【００２４】
このＸ線撮影装置により、Ｘ線撮影を行うときには、立位撮影時には立位撮影台１の前に被検者Ｍを起立させ、また、臥位撮影時には臥位撮影台２の上に被検者を仰臥させる。そして、第１のＸ線検出部４１または第２のＸ線検出部４２に対して被検者Ｍを挟んだ対向位置にＸ線照射部３を移動させ、Ｘ線を照射することによりＸ線撮影を実行する。第１、第２のＸ線検出部４１、４２は、被検者Ｍを通過したＸ線を画像に変換する。
【００２５】
図２は、Ｘ線照射部３を懸垂保持手段１０および水平移動手段２０とともに示す斜視図である。
【００２６】
水平移動機構２０は、図２に示すように、天井面９に敷設された固定レール２１と、固定レール２１に沿ってＸ方向に移動可能に接続された可動レール２２とを備える。懸垂保持機構１０は、固定部１１を介して可動レール２２に接続されている。この固定部１１は、固定レール２１に沿った移動方向（Ｘ方向）に対して可動レール２２と一体的に移動するとともに、固定レール２１に沿った移動方向と直交する方向（Ｙ方向）に対して可動レール２２に沿って移動可能に接続されている。また、懸垂保持機構１０は、固定部１１に連結された伸縮部１２を備える。この伸縮部１２は、鉛直方向（図２に示すＺ方向）に伸縮可能に構成されおり、伸縮部１２の下端部には、Ｘ線照射部３が軸１３を介して回動可能に接続されている。
【００２７】
これらの懸垂保持機構１０、水平移動機構２０および伸縮部１２の作用により、Ｘ線照射部３は、Ｘ，Ｙ，Ｚ方向に移動可能となっている。このＸ線照射部３の移動は、オペレータが図示しない操作スイッチを操作して、図示しないモータの駆動によりＸ線照射部３を移動することにより実行される。そして、このＸ線照射部３のＸ，Ｙ，Ｚ方向の移動位置は、図示しないポテンショメータやエンコーダ等により検出される。なお、Ｘ線照射部３をモータの駆動により移動させる代わりに、手動により移動させてもよい。
【００２８】
図３は、上述したＸ線撮影装置の主要な電気的構成を示すブロック図である。
【００２９】
このＸ線撮影装置は、装置全体を制御する制御部８１を備える。この制御部８１は、上述したＸ線照射部３と、立位撮影台１における第１の検出部４１および第１センサ９１と、臥位撮影台２における第２の検出部４２および第２センサ９２とに接続されている。
【００３０】
また、この制御部８１は、後述する警告音を発生する警告音発生部８２と接続されている。また、この制御部８１は、ＣＲＴや液晶表示パネルからなる表示部８３と、キーボード等からなる入力部８４とに接続されている。ここで、表示部８３には、Ｘ線撮影に必要な入力データや、Ｘ線撮影の術式およびＸ線撮影データ等が表示される。また、Ｘ線検出部４１、４２としてフラットパネルディテクタを使用した場合には、この表示部８３にＸ線撮影画像が表示される。さらに、この制御部８１は、病院内のＬＡＮ８５にも接続されている。
【００３１】
なお、図３に示す警告音発生部８２は、後述する警告音を発生する。また、図３に示す表示部８３は、後述する警告表示を表示する。さらに、図３に示す入力部８４は、オペレータが立位撮影と臥位撮影との間で術式を切り換えるときの切替信号を入力するための入力部として機能する。
【００３２】
以上のような構成を有するＸ線撮影装置においてＸ線撮影を実行するときには、最初に、術式が選択される。すなわち、被検者における撮影部位や被検者の状態等に応じて、被検者が起立した状態で撮影を実行する立位撮影と、被検者が仰臥した状態で撮影を実行する臥位撮影とのいずれの術式を選択するのかが決定される。決定後のデータは、予め、入力部８４から入力され、あるいは、病院内のＬＡＮ８５を介してＸ線撮影装置に入力される。このとき、入力部８４および病院内のＬＡＮ８５は、術式を選択する選択手段として機能する。
【００３３】
しかる後、患者である被検者ＭがＸ線撮影装置が設置された検査室に入室する。このときには、通常は、予め選択された術式に基づいてＸ線撮影が実行される。しかしながら、被検者Ｍの様子や、その他の事情により、検査室においてオペレータが術式を立位撮影と臥位撮影の間で切り換える場合がある。この場合においては、オペレータが、Ｘ線撮影装置における操作部８４を操作して術式の切替の設定を行うのであるが、オペレータがこれを失念する場合もある。
【００３４】
この状態において、オペレータがＸ線撮影を実行するために撮影開始ボタンを押圧した場合には、Ｘ線撮影装置における制御部８１が、立位撮影台１における第１センサ９１の出力と臥位撮影台２における第２センサ９２との出力を確認する。そして、制御部８１は、現在設定されている術式と第１センサ９１および第２センサ９２の出力から、被検者Ｍが立位撮影台１と臥位撮影台２のうち、術式に適合した撮影台にセッティングされているか否かを判定する。
【００３５】
図４は、被検者Ｍが術式に適合した撮影台にセッティングされているか否かの判定を実行するときの判断基準を示す表である。
【００３６】
上述した判定は、図４に示す表に基づいて実行される。この図４においては、術式として立位撮影が選択されたにもかかわらず第１センサ９１が被検者Ｍを検出せず第２センサ９２が被検者Ｍを検出している場合と、術式として臥位撮影が選択されたにもかかわらず第１センサ９１が被検者Ｍを検出して第２センサ９２が被検者Ｍを検出していない場合には、適正な被検者Ｍのセッティングがなされていないと判断できる。なお、第１センサ９１と第２センサ９２の両方が被検者Ｍを検出していない場合においても、適正な被検者Ｍのセッティングがなされていないと判断するようにすればよい。
【００３７】
このような場合においては、制御部８１は、警告音発生部８２と表示部８３に対して警告信号を送信する。これにより、警告音発生部８２は警告音を発生する。また、表示部８３は、警告表示を表示する。このような警告音と警告表示により、選択された術式に適合した撮影台に被検者Ｍがセッティングされていないことを警告することができる。
【００３８】
オペレータがこの警告に気付いた場合には、図３に示す入力部８４を使用して、立位撮影と臥位撮影との間で術式を切り換えるための切替信号を入力する。これにより、制御部８１の制御により、術式が立位撮影と臥位撮影との間で変更後のものと切り換えられる。しかる後、再度、オペレータがＸ線撮影を実行するために撮影開始ボタンを押圧することにより、適切なＸ線撮影が実行される。
【００３９】
以上のように、この発明に係るＸ線撮影装置においては、例えば、オペレータが検査室において、立位撮影と臥位撮影との間で術式を変更した場合においても、被検者が変更後の術式に適合した撮影台にセッティングされていないことを予め検出することにより、誤ったＸ線撮影が行われることを確実に防止することが可能となる。
【００４０】
なお、上述した実施形態においては、図３に示す警告音発生部８２により警告音を発生するとともに、表示部８３に警告表示を表示しているが、これらのうちの一方のみを実行してもよい。また、警告音にかえて、警告ライト等を点灯してもよい。
【００４１】
また、上述した実施形態においては、警告に気付いたオペレータが、入力部８４を使用して立位撮影と臥位撮影との間で術式を切り換えるための切替信号を入力することにより、術式が立位撮影と臥位撮影との間で切り換えられる構成を採用しているが、術式の切替を自動的に行うとともに、切替が行われたことを表示するようにしてもよい。
【符号の説明】
【００４２】
１      立位撮影台
２      臥位撮影台
３      Ｘ線照射部
５      板部材
９      天井面
１０    懸垂保持機構
１１    固定部
１２    伸縮アーム
１３    軸
２０    水平移動機構
２１    固定レール
２２    可動レール
４１    第１の検出部
４２    第２の検出部
８１    制御部
８２    警告音発生部
８３    表示部
８４    入力部
８５    病院内のＬＡＮ  
９１    第１センサ
９２    第２センサ
Ｍ      被検者
【図１】
0005621244.tif 000002
【図２】
0005621244.tif 000003
【図３】
0005621244.tif 000004
【図４】
0005621244.tif 000005